(57)【要約】【課題】不定形サイズの原稿の画像を原稿サイズに適合したサイズの用紙に記録でき、利用者が所望する形態の記録物を確実に得ることができるようにして稼働効率を向上できるとともに資源の浪費を防止する。【解決手段】利用者が数値情報によって原稿サイズを入力した場合、制御部２は、用紙サイズが数値情報によって設定された用紙を優先的に選択する（ｓ１１）。制御部２は、数値情報によって入力された原稿サイズが何れかの定形サイズと同じ大きさであっても、予め数値情報によってサイズが設定された用紙の中から、適合する用紙サイズの用紙が存在するか否かを確認する。適合するサイズの用紙の存在が確認されれば（ｓ１２）、制御部２は、定形サイズの用紙を収容した給紙トレイではなく、数値情報によってサイズが設定された用紙を収容した給紙トレイを、画像記録時に用紙を給紙すべき給紙トレイとして選択する（ｓ１３）。【選択図】図２１
2004326040.tif 000002
【特許請求の範囲】
【請求項１】
入力された原稿サイズ情報に基づいて、定形サイズ及び不定形サイズを含む予め登録された複数の用紙サイズの内から画像記録処理に使用する用紙サイズを選択する用紙サイズ選択手段を備えた画像記録装置において、
前記用紙サイズ選択手段は、原稿サイズ情報として数値情報が入力された場合にのみ、不定形サイズの用紙サイズを優先的に選択することを特徴とする画像記録装置。
【請求項２】
数値情報により設定された用紙サイズを不定形サイズとして登録することを特徴とする請求項１に記載の画像記録装置。
【請求項３】
前記原稿サイズ情報として入力された数値情報を特定の操作部材と対応付けて登録する原稿サイズ登録手段を備え、前記用紙サイズ選択手段は前記特定の操作部材が操作されたときに対応する数値情報を前記入力された原稿サイズ情報として読み出すことを特徴とする請求項１に記載の画像記録装置。
【請求項４】
用紙サイズ毎に実行可能な処理モードの設定入力を受け付ける処理モード設定手段、及び、処理モード設定手段を介して設定入力された実行可能な処理モードを用紙サイズ毎に記憶する記憶手段を備え、前記用紙サイズ選択手段は記憶手段の記憶内容を参照して実行すべき処理モード、及び、入力された原稿サイズ情報に対応する用紙サイズを選択することを特徴とする請求項１に記載の画像記録装置。
【発明の詳細な説明】
【０００１】
【発明の属する技術分野】
この発明は、原稿画像を原稿サイズに応じたサイズの用紙（紙以外の記録媒体を含む。）上に再現して記録する画像記録装置に関し、特に、不定形サイズの原稿画像を記録する際に不定形サイズの用紙を選択するようにした画像記録装置に関する。
【０００２】
【従来の技術】
Ａ４サイズやＢ５サイズ等の定形サイズの用紙に原稿画像を記録する複写機等の画像記録装置が商品化されている。このような画像記録装置には、原稿サイズと用紙サイズとから記録倍率を決定して原稿画像を定形サイズの用紙に記録する機能が搭載されている。
【０００３】
従来の画像記録装置として、原稿の背面から原稿台上面に対向する原稿押え面に主走査方向及び副走査方向の帯状のマークを設け、原稿台下面から読み取った画像中において原稿によって遮られなかったマークの画像から原稿の主走査方向及び副走査方向のサイズを検出する複写機がある（例えば、特許文献１参照。）。この画像記録装置では、検出された原稿サイズに最も近いサイズの用紙が画像記録に使用する用紙として選択される。
【０００４】
しかし、最近の複写機はディジタル化が進み、原稿画像を画像データとして電気的に読み取るスキャナ部、画像データに適切な処理を施す画像処理部、及び、最終出力画像データに基づいて画像を記録する画像記録部を備えたディジタル複写機として商品化されている。このディジタル複写機では、画像処理部の機能を活用するため、ファクシミリやプリンタなどの機能を組み合わせたディジタル複合機と呼ばれるものもある。このディジタル複合機は、コピーモード、ファックスモード及びプリンタモード等の複数の処理モードを択一的に実行できるようにされており、コピーモード時にスキャナ部で読み取られた原稿画像の画像データだけでなく、ファックスモード時やプリンタモード時に外部から入力された画像データに対しても、画像処理部における画像処理、画像記録部における画像記録を行う。
【０００５】
このようなディジタル複合機に対しては、プリンタモード時にサイズや特性（厚さ及び素材等）の異なる種々の用紙に対応できるようにすることが望まれている。特に、用紙サイズについては、Ａ４サイズ等のＡ系列、Ｂ５サイズ等のＢ系列、及び、レターサイズ（「８．５×１１」サイズともいう。）等のインチ系列の規格化された定形サイズ以外に、各種フォーマットの用紙などの規格外の不定形サイズにも対応する必要がある。
【０００６】
そこで、従来のディジタル複合機では、用紙を収容する用紙カセットや給紙トレイが不定形サイズを含む種々のサイズの用紙を収容できる構造にされており、用紙カセットや給紙トレイの各々に収容されている用紙の用紙サイズ情報を予め登録できるようにされている（例えば、特許文献２参照。）。このディジタル複合機における画像データの記録時には、原稿サイズや記録倍率に基づいて、登録されている用紙サイズのなかから画像記録に使用される用紙のサイズとして最適な用紙サイズが選択される。
【０００７】
なお、原稿サイズ情報の入力は、原稿台に設けられた原稿サイズセンサによる検出、又は、置数キーやアップダウンキーの操作によって行われる。原稿サイズセンサは、原稿台に載置された原稿のサイズを定形サイズとして検出するものであり、原稿台に不定形サイズの原稿が載置された場合には、最も近い定形サイズを原稿サイズとして検出する。置数キーやアップダウンキーは、利用者が原稿サイズの実測値を数値情報として入力する際に操作される。
【０００８】
【特許文献１】
特開平０３−０５３２７２号公報
【特許文献２】
特開平０４−０３２８６２号公報
【０００９】
【解決しようとする問題点】
しかしながら、従来の画像記録装置では、原稿サイズが定形サイズであるか不定形サイズであるかに拘らず、定形サイズ及び不定形サイズを含む予め登録されている全ての用紙サイズが選択の対象とされていた。このため、利用者が原稿サイズを実測した後に、この実測結果に基づいて置数キーやアップダウンキーを操作して数値情報として不定形サイズの原稿サイズを入力した場合にも、定形サイズの用紙が画像記録に使用すべき用紙として選択される可能性があり、特定のフォーマットの原稿画像を専用の規格外の用紙に記録する場合等の不定形サイズの原稿の画像を不定形サイズの用紙に記録する画像記録作業が円滑に行われなくなる問題がある。
【００１０】
また、一般に、利用者は定形サイズの呼称（Ａ４サイズ、Ｂ５サイズ、レターサイズ等）とその数値との関係を理解して用紙サイズの設定や選択を行うことは少ない。このため、利用者は、通常使用している用紙と異なる紙質の定形サイズの用紙を不定形サイズの用紙と勘違いする場合があり、例えば、Ａ４サイズの定形サイズである用紙の用紙サイズを実測結果に基づいて２１０ｍｍ×２９７ｍｍの数値情報によって登録する場合がある。この状態で、Ａ４サイズの原稿が原稿台に載置されると、２１０ｍｍ×２９７ｍｍの数値情報によって登録された用紙が実質的に同一のサイズであるとして自動的に選択されてしまう可能性があり、専用の用途のために準備された特殊な紙質の用紙が一般的な原稿を記録するために使用されることを防止できない。
【００１１】
この発明の目的は、不定形サイズの原稿サイズ情報が入力された場合には、画像記録に使用される用紙として不定形サイズの用紙を優先的に選択するようにし、不定形サイズの原稿の画像を原稿サイズに適合したサイズの用紙に記録することができ、利用者が所望する形態の記録物を確実に得ることができるようにし、稼働効率を向上できるとともに資源の浪費を防止できる画像記録装置を提供することにある。
【００１２】
【課題を解決するための手段】
（１）入力された原稿サイズ情報に基づいて、定形サイズ及び不定形サイズを含む予め登録された複数の用紙サイズの内から画像記録処理に使用する用紙サイズを選択する用紙サイズ選択手段を備えた画像記録装置において、
前記用紙サイズ選択手段は、原稿サイズ情報として数値情報が入力された場合にのみ、不定形サイズの用紙サイズを優先して選択することを特徴とする。
【００１３】
この構成においては、不定形サイズの原稿サイズ情報が入力された場合には、画像記録に使用される用紙として不定形サイズの用紙が優先的に選択される。したがって、不定形サイズの原稿の画像を記録すべき用紙として定形サイズの用紙が優先的に選択されたり、定形サイズの原稿の画像を記録すべき用紙として不定形サイズの用紙が優先的に選択されることがない。これによって、原稿サイズに適合したサイズの用紙に原稿の画像が記録され、利用者が所望する形態の記録物が確実に得られる。また、利用者が所望する形態と異なる記録物が形成されることがなく、稼働効率の向上、及び、資源の浪費の防止が実現される。
【００１４】
（２）数値情報により設定された用紙サイズを不定形サイズとして登録することを特徴とする。
【００１５】
この構成においては、用紙サイズをＡ４サイズ、Ｂ５サイズ又はレターサイズ等のサイズ呼称情報ではなく、実測結果に基づく数値情報によって設定すると、その用紙サイズが不定形サイズとして登録される。したがって、専用の用途のために準備した用紙について数値情報によって用紙サイズを設定しておくと、その用紙は不定形サイズの原稿の画像を記録すべき用紙としてのみ優先的に選択され、一般的な定形サイズの原稿の画像を記録する用紙としては優先的に選択されることがない。
【００１６】
（３）前記原稿サイズ情報として入力された数値情報を特定の操作部材と対応付けて登録する原稿サイズ登録手段を備え、前記用紙サイズ選択手段は前記特定の操作部材が操作されたときに対応する数値情報を前記入力された原稿サイズ情報として読み出すことを特徴とする。
【００１７】
この構成においては、数値情報によって入力された原稿サイズ情報が特定の操作部材と対応付けられて登録され、特定の操作部材を操作すると対応する数値情報が原稿サイズ情報として読み出される。したがって、特定の不定形サイズの原稿についての画像記録処理を繰り返し行う際に、数値情報を繰り返し入力する必要がなく、不定形サイズの入力作業が簡略化される。
【００１８】
（４）用紙サイズ毎に実行可能な処理モードの設定入力を受け付ける処理モード設定手段、及び、処理モード設定手段を介して設定入力された実行可能な処理モードを用紙サイズ毎に記憶する記憶手段を備え、前記用紙サイズ選択手段は記憶手段の記憶内容を参照して実行すべき処理モード、及び、入力された原稿サイズ情報に対応する用紙サイズを選択することを特徴とする。
【００１９】
この構成においては、用紙サイズ毎に実行可能な処理モードを予め設定しておくことにより、実行される処理モードに適合する用紙のみが選択対象とされ、実行される処理モードに適合しない用紙が選択されることがない。このため、例えば、プリンタモードにおいてのみ使用すべき用紙がコピーモードにおいて原稿の画像を記録した記録物として作成されることがない。
【００２０】
【発明の実施の形態】
図１は、この発明の実施形態に係る画像記録装置であるディジタル複合機の構成を示す図である。ディジタル複合機１は、クライアントマシンである複数のパーソナルコンピュータ等の外部装置１０１とともにローカルエリアネットワーク（ＬＡＮ）１１０上に設置されており、外部装置１０１と互いに通信可能な状態にある。外部装置１０１からディジタル複合機１に対してプリントデータを含むプリント要求が送信されると、ディジタル複合機１はプリントデータについてプリンタモードの画像記録処理を実行する。
【００２１】
また、ディジタル複合機１は、スキャナ部３において読み取った原稿の画像データを、指示されたアドレスの外部装置１０１に送信する。さらに、ＬＡＮ１１０から図示しないグローバルエリアネットワーク内に設置されているパーソナルコンピュータ、プリンタ及びインターネットファックス等の他の外部装置に対しても、送信先のアドレスにしたがって画像データを送信できる。
【００２２】
ディジタル複合機１は、制御部２、スキャナ部３、操作部４、画像記録部５、給紙部６、通信部７、ハードディスク８及び管理部９を備えている。制御部２は、この発明の用紙サイズ選択手段であり、ディジタル複写機１内の各機器を統轄して制御する。スキャナ部３は、原稿の画像の読取信号を出力する光電変換素子（ＣＣＤ）３ａ、及び、原稿台上に載置された原稿の原稿サイズを検出する原稿サイズセンサ３ｂを備えている。
【００２３】
操作部４は、各種のキーによって構成された入力部４ａ、及び、ディスプレイを含む表示部４ｂを備えている。画像記録部５は、ＣＣＤ２ａから出力された読取信号をディジタルデータに変換した画像データに対して所定の画像処理を施す画像処理部５ａ、及び、画像データによって変調されたレーザ光を出射するレーザスキャンユニット（ＬＳＵ）５ｂを備えている。
【００２４】
給紙部６は、用紙カセットや給紙トレイ等の複数の給紙位置のそれぞれに収容されている用紙の用紙サイズ等を検出する用紙センサ６ａを備えている。通信部７は、外部装置１０１とのデータの送受信を行う。ハードディスク８は、画像記録部５の画像処理部５ａにおいて画像処理された画像データを格納する。管理部９は、ディジタル複写機１内の各機器に関するデータを管理している。このデータは、各機器の制御時に制御部２によって参照される。
【００２５】
ディジタル複合機１のコピーモード時には、原稿から読み取られた画像データが用紙上に再現される。このため、スキャナ部３において、図示しない原稿台に載置された原稿の画像面に対して光源から光が照射され、原稿の画像面における反射光がＣＣＤ２ａによって受光される。ＣＣＤ２ａは、受光量に応じた読取信号をディジタルデータに変換して画像データとして出力する。この画像データは、画像記録部５の画像処理部５ａにおいて所定の画像処理が施されて揮発性のメモリ上に展開され、一旦ハードディスク８に格納される。原稿が複数枚ある場合は、ＣＣＤ３ａによる読取、画像処理部５ｂによる画像処理、及び、ハードディスク８への格納が繰り返される。
【００２６】
原稿台上に載置された原稿の原稿サイズは、原稿サイズセンサ３ｂによって検出される。一例として、原稿サイズセンサ３ｂは、原稿台の近傍における各定形サイズに対応した複数の位置に備えられている。制御部２は、各原稿サイズセンサ３ｂの検出信号に応じて原稿サイズを割り出す。なお、原稿台上に載置された原稿の画像をＣＣＤ３ａを介して予備的に読み取り、読み取られた画像領域から原稿サイズを割り出すこともでき、この場合には原稿サイズセンサ３ｂを省略できる。
【００２７】
ハードディスク８に格納された画像データは、操作部４の入力部４ａを介して入力された画像記録条件に基づく所定のタイミングで順次読み出され、画像処理部５ａを経由してＬＳＵ５ｂに供給される。各原稿の画像を複数枚の用紙上に形成するマルチコピーモード時には、各原稿から読み取られた１枚分の画像データがハードディスク８に格納された後、ハードディスク８から画像記録枚数分だけ繰り返し読み出されてＬＳＵ５ｂに供給される。
【００２８】
ＬＳＵ５ｂは、画像データに基づいて半導体レーザから出射されたレーザ光によって感光体の表面を露光し、感光体の表面に静電潜像を形成する。この静電潜像は、現像器から供給されるトナーによってトナー像に顕像化される。感光体の表面に担持されたトナー像は、転写器を介して用紙の表面に転写された後、定着装置において加熱及び加圧されて用紙上に定着する。
【００２９】
用紙は、給紙部６に設けられた用紙カセットや給紙トレイ等の複数の給紙位置に収容されており、所定のタイミングで用紙搬送経路を経由して画像記録部５に搬送される。用紙カセットや給紙トレイ等の複数の給紙位置には、用紙サイズや紙質等の異なる複数種類の用紙が収容されている。給紙部６の各給紙位置における用紙の有無や用紙サイズは、用紙センサ６ａによって検出される。
【００３０】
ディジタル複合機１のプリンタモード時には、外部装置１０１から送信された画像データが用紙上に再現される。このため、ディジタル複合機１の通信部７が、通信ケーブル等を介してＬＡＮ１１０に接続されており、ＬＡＮ１１０上に設置された外部装置１０１から送信された画像データを受信する。通信部７によって受信された画像データは、１ページ単位で画像処理部５ａを経由して一旦ハードディスク８に格納される。ハードディスク８に格納された画像データは所定のタイミングで順次読み出され、画像処理部５ａを介してＬＳＵ５ｂに供給される。
【００３１】
ディジタル複合機１のスキャナモード時及びファクスモード時には、スキャナ部３において読み取った原稿の画像を外部装置１０１等に出力する。このため、スキャナ部３のＣＣＤ３ａから出力された電気信号をディジタルデータに変換した画像データが、画像処理部５ａ内のメモリにおいて１ページの画像データとして完成され、一旦ハードディスク８に格納される。ハードディスク８に格納された画像データは、画像処理部５ａ及び通信部７を経由して、操作部４を介して指示された送信先情報（送信先アドレス情報又は送信先ファックス番号）の外部装置１０１に送信される。
【００３２】
なお、この例では、画像データを一時的に保存する記憶装置としてハードディスク８を備えているが、これに限らず、ディジタル複写機１の本体から取り外されても保存された画像データを保持することができる不揮発性のメモリ、バックアップ機能の付いたメモリ、磁気記憶媒体を用いたその他の記憶装置（媒体）などを用いることもできる。
【００３３】
また、制御部２は、操作部４に設けられたタブレットやキー等によって構成された入力部４ａからの操作状態を検出するとともに、ＬＣＤ（液晶ディスプレイ）等の表示部４ｂにディジタル複合機１の状態に関する情報など使用者に通知すべき情報を的確に案内表示する。
【００３４】
図２は、上記ディジタル複写機の操作部４の構成を示す平面図である。操作部４は、左側に表示部４ｂを構成するドットマトリックスタイプのＬＣＤ４１を備えている。ＬＣＤ４１は、利用者に報知すべき情報を案内する画面を表示する。ＬＣＤ４１の上面には、入力部４ａを構成する透明のタッチパネル４２が設けられている。タッチパネル４２を押圧操作すると、ＬＣＤ４１の表示画面においてタッチパネル４２の押圧操作位置に対向する部分に表示されている情報が制御部２に入力される。
【００３５】
操作部４には、ＬＣＤ４１の他に入力部４ａとして、動作開始の指示入力を受け付けるスタートキー４３、実行中の処理の中断の指示入力を受け付けるオールクリアキー４４、指示したモードの内容をクリアする指示入力を受け付けるクリアキー４５、用紙サイズや原稿サイズの実測値及びコピー枚数等の数値情報の入力を受け付けるテンキー４６、処理モードの切換の指示入力を受け付けるモード切換キー４７ａ，４７ｂ，４７ｃ、及び、利用者の個別の指示入力を受け付けるユーザー設定キー４８等の複数のキーが配置されている。
【００３６】
ディジタル複写機１は、図２に示すように、操作部４のＬＣＤ４１に初期画面として「コピーモード」の基本画面Ｇ１を表示して待機している。この基本画面Ｇ１は、略中央部にディジタル複合機１の外観の概略図１１１が配置され、システム構成（大容量給紙ユニット、フィニッシャ等の有無）が視認できるようにされている。基本画面Ｇ１における概略図１１１の両側には、現在選択されている機能や給紙トレイ等の情報が表示される。また、基本画面Ｇ１における上部域には、利用者に対して装置の状況やアドバイス等のメッセージが表示される。
【００３７】
まず、利用者による原稿サイズの手動入力を受け付ける場合のＬＣＤ４１の表示状態及び操作方法について、以下に説明する。
【００３８】
コピーモードの処理における原稿サイズの入力時には、基本画面Ｇ１における概略図１１１の右側に配置されたキー群のうちの「原稿」キー１１２を押圧する。これによって、ＬＣＤ４１には図３に示す原稿サイズ設定画面Ｇ２が「原稿」キー１１２からウィンドウ表示される。原稿サイズは、先に説明したように基本的には（デフォルト状態）、画像を読み取るべき原稿が定形サイズであることを前提に、原稿台に配置されている原稿サイズセンサ３ｂによって自動的に検出される。しかし、原稿サイズが不定形サイズである場合、原稿の紙質等の相違によって利用者が定形サイズの原稿を不定形サイズの原稿であると認識する場合、及び、利用者が原稿の一部の画像について定形サイズの原稿画像としての取り扱いを希望する場合がある。
【００３９】
そこで、利用者による原稿サイズの入力を受け付けるべく、原稿サイズ設定画面Ｇ２に「手動」キー１２１を表示する。なお、原稿サイズ設定画面Ｇ２には、「自動」キー１２２及び「登録サイズ」キー１２３が表示される。「自動」キー１２２は、原稿サイズセンサ３ｂによる自動サイズ検出の指示入力を受け付ける。「登録サイズ」キー１２３については後述する。
【００４０】
原稿サイズ設定画面Ｇ２に表示された「手動」キー１２１を操作すると、ＬＣＤ４１には図４に示すＡＢ系定形サイズ入力画面Ｇ３が「手動」キー１２１からウィンドウ表示される。ＡＢ系定形サイズ入力画面Ｇ３には、ＡＢ系サイズキー群１３１、切換キー１３２及びＯＫキー１３３が表示される。ＡＢ系サイズキー１３１の何れかを押圧操作すると各キーに表示されているＡＢ系の定形サイズを選択することができ、次いでＯＫキー１３３を押圧操作すると選択したＡＢ系の定形サイズを原稿サイズとして入力できる。
【００４１】
ＡＢ系定形サイズ入力画面Ｇ３において切換キー１３２を押圧操作すると、ＬＣＤ４１には図５に示すインチ系定形サイズ入力画面Ｇ４が「手動」キー１２１からウィンドウ表示される。インチ系定形サイズ入力画面Ｇ４には、インチ系サイズキー群１４１、切換キー１４２及びＯＫキー１４３が表示される。インチ系サイズキー群１４１の何れかを押圧操作すると各キーに表示されているインチ系の定形サイズを選択することができ、次いでＯＫキー１４３を押圧操作すると選択したインチ系の定形サイズを原稿サイズとして入力できる。
【００４２】
なお、図５に示すインチ系定形サイズ入力画面Ｇ４において表示される「５．１／２  ×８．１／２  」や「１１×１７」等の原稿サイズは、ＡＢ系列におけるＡ４サイズやＢ５サイズと同様に、インチ系列における定形サイズの呼称である。したがって、インチ系定形サイズ入力画面Ｇ４に表示されている原稿サイズは、数値情報によって入力された不定形サイズではなく、ディジタル複合機１において不定形サイズとして取り扱われることはない。これは、後述する図１３に示す用紙サイズ設定画面Ｇ１２に表示されるインチサイズについても同様である。
【００４３】
また、ＬＣＤ４１にＡＢ系定形サイズ入力画面Ｇ３又はインチ系定形サイズ入力画面Ｇ４が表示されている状態で「サイズ入力」タブ１３０を押圧操作すると、ＬＣＤ４１には図６に示す数値入力画面Ｇ５が「手動」キー１２１からウィンドウ表示される。数値入力画面Ｇ５には、Ｘ方向選択キー１５１、Ｙ方向選択キー１５２、アップダウンキー１５３、ＯＫキー１５４、Ｘ方向数値表示部１５５及びＹ方向数値表示部１５６が表示される。数値入力画面Ｇ５において、Ｘ方向選択キー１５１又はＹ方向選択キー１５２を押圧操作して入力する方向を選択した後にアップダウンキー１５３を押圧操作するとＸ方向数値表示部１５５又はＹ方向数値表示部１５６に表示される数値が増減する。次いで、ＯＫキー１５４を押圧操作すると、Ｘ方向数値表示部１５５及びＹ方向数値表示部１５６に表示されている数値を原稿サイズとして入力できる。
【００４４】
利用頻度の高いサイズについては「登録サイズ」として予め登録しておき、簡単に呼び出すことができるようにされている。このため、原稿サイズ設定画面Ｇ２の「登録サイズ」キー１２３を押圧操作すると、ＬＣＤ４１には図７に示す登録サイズ呼出画面Ｇ６が「登録サイズ」キー１２３からウィンドウ表示される。登録サイズ呼出画面Ｇ６には、サイズ選択キー群１６１及びＯＫキー１６２が表示される。サイズ選択キー群１６１の何れかを押圧操作すると呼び出すべき登録サイズが選択され、次いでＯＫキー１６２を押圧操作すると選択された登録サイズが原稿サイズとして設定される。
【００４５】
ＬＣＤ４１に登録サイズ呼出画面Ｇ６が表示されている状態で、「登録／  消去」タブ１６０を押圧操作すると、図８に示す登録サイズ登録／消去画面Ｇ７が表示される。登録サイズ登録／消去画面Ｇ７には、登録エリア選択キー群１７１及びＯＫキー１７２が表示される。登録エリア選択キー群１７１の何れかを押圧操作すると、原稿のサイズを登録又は消去する登録エリアが選択される。選択された登録エリアに既に原稿サイズが表示されている場合、次にＯＫキー１７２を操作すると、選択された登録エリアに登録されている原稿サイズが消去される。
【００４６】
選択された登録エリアに原稿サイズが表示されておらず空欄である場合、次にＯＫキー１７２を操作すると、ＬＣＤ４１に図９に示す登録サイズ入力画面Ｇ８が表示される。登録サイズ入力画面Ｇ８は、図６に示した数値入力画面Ｇ５と同様に、Ｘ方向選択キー１７１、Ｙ方向選択キー１７２、アップダウンキー１７３、ＯＫキー１７４、Ｘ方向数値表示部１７５及びＹ方向数値表示部１７６を表示する。登録サイズ入力画面Ｇ８において、Ｘ方向選択キー１７１又はＹ方向選択キー１７２を押圧操作して入力する方向を選択した後にアップダウンキー１７３を押圧操作するとＸ方向数値表示部１７５又はＹ方向数値表示部１７６に表示される数値が増減する。次いで、ＯＫキー１７４を押圧操作すると、Ｘ方向数値表示部１７５及びＹ方向数値表示部１７６に表示されている数値を登録サイズとして入力できる。
【００４７】
図８に示す登録サイズ登録／消去画面Ｇ７及び図９に示す登録サイズ入力画面Ｇ８において数値情報によって入力された原稿サイズは、管理部９において不定形サイズの原稿サイズとして登録エリア選択キー群１７１の各キーに対応付けて登録される。登録エリア選択キー群１７１がこの発明の操作部材に相当し、図８に示す登録サイズ登録／消去画面Ｇ７及び図９に示す登録サイズ入力画面Ｇ８における操作状態に応じて処理動作を行う制御部２、並びに、数値情報によって入力された原稿サイズが登録される管理部９がこの発明の原稿サイズ登録手段に相当する。
【００４８】
次に、利用者による用紙情報の手動入力を受け付ける場合のＬＣＤ４１の表示状態及び操作方法について、以下に説明する。
【００４９】
操作部４に設けられた「ユーザ設定」キー４８を操作すると、ＬＣＤ４１には図１０に示すユーザ設定画面Ｇ９が表示される。ユーザ設定画面Ｇ９に表示される複数のキーのうち、「給紙トレイ設定」キー１９１を押圧操作すると、ＬＣＤ４１には図１１に示す給紙トレイ設定画面Ｇ１０が表示される。給紙トレイ設定画面Ｇ１０には、給紙部６に設けられている各給紙トレイに収容すべき用紙に関する情報の設定入力を受け付けるため、トレイ選択キー２０１、タイプ／サイズ表示部２０２、使用モード選択キー群２０３及び使用機能選択キー群２０４が表示される。
【００５０】
給紙トレイ設定画面Ｇ１０におけるトレイ選択キー２０１を押圧操作することにより、給紙部６に設けられている複数の給紙トレイのうちで収納用紙に関する情報を設定すべき給紙トレイを選択することができる。ユーザ設定画面Ｇ９に表示された「給紙トレイ設定」キー１９１を押圧操作すると、ＬＣＤ４１には「トレイ１」についての給紙トレイ設定画面Ｇ１０が最初に表示される。ここでは、用紙情報の手動入力時のＬＣＤ４１の表示状態及び操作方法を「トレイ１」に収容すべき用紙に関する用紙情報について説明する。
【００５１】
給紙トレイ設定画面Ｇ１０のタイプ／サイズ表示部２０２は、トレイ１に収容すべき用紙のタイプ（種類）及びサイズを表示する。また、使用モード選択キー群２０３は、トレイ１に収容されている用紙を使用することができるモードの選択入力を受け付ける。使用モード選択キー群２０３のうち、トレイ１に収容されている用紙を使用することができるモードに対応するキーにはチェックが表示される。使用機能選択キー群２０４は、トレイ１に収容されている用紙に対して施すことができる処理機能の選択入力を受け付ける。使用機能選択キー群２０４のそれぞれの右側に表記されている状態の処理機能が設定されているか否かがチェックの有無によって表示される。
【００５２】
例えば、図１１に示す給紙トレイ設定画面Ｇ１０は、トレイ１にはＡ４サイズの普通紙が、プリンタ、コピー、ファックス、インターネットＦＡＸ、ドキュメントファイリングの各モードにおける画像の記録に使用可能にして収容されており、この用紙には表裏の別がないこと、両面コピーに使用できること、ステープル処理及びパンチ処理が可能であることを示している。
【００５３】
給紙トレイ設定画面Ｇ１０において、タイプ／サイズ表示部２０２を押圧操作すると、ＬＣＤ４１には図１２に示す用紙タイプ設定画面Ｇ１１が表示される。用紙タイプ設定画面Ｇ１１に表示された用紙タイプキー群２１１の何れかを押圧操作すると、ＬＣＤ４１には図１３に示す用紙サイズ設定画面Ｇ１２が表示される。
【００５４】
給紙部６に装着されている各給紙トレイは、収容している用紙の用紙サイズを特定する信号源（サイズ表記ブロック等）が備えられている。この信号源が給紙部６に配置された用紙センサ６ａを選択的に動作させることにより、各給紙トレイに収容されている用紙の用紙サイズが検出される。用紙センサ６ａが信号源を介して用紙サイズを自動的に検出する場合に、信号源がＡＢ系サイズ又はインチ系サイズの何れを表すものであるかを、系列選択キー２２１，２２２の押圧操作によって設定できる。
【００５５】
給紙部６の給紙トレイに収容される用紙のなかには、定形サイズ以外の不定形サイズの用紙もあるため、縦方向及び横方向の長さの数値入力を受け付ける「サイズ入力」キー２２３が用紙サイズ設定画面Ｇ１２内に表示されている。「サイズ入力」キー２３３を押圧操作すると、図１４に示すようにＬＣＤ４１にＡＢ系数値入力画面Ｇ１３が「サイズ入力」キー２３３からウィンドウ表示される。
【００５６】
ＡＢ系数値入力画面Ｇ１３は、Ｘ方向選択キー２３１、Ｙ方向選択キー２３２、アップダウンキー２３３、ＯＫキー２３４、Ｘ方向数値表示部２３５及びＹ方向数値表示部２３６を表示する。ＡＢ系数値入力画面Ｇ１３において、Ｘ方向選択キー２３１又はＹ方向選択キー２３２を押圧操作して入力する方向を選択した後にアップダウンキー２３３を押圧操作するとＸ方向数値表示部２３５又はＹ方向数値表示部２３６に表示される数値が増減する。次いで、ＯＫキー２３４を押圧操作すると、Ｘ方向数値表示部２３５及びＹ方向数値表示部２３６にｍｍ単位で表示されている数値を用紙サイズとして入力できる。
【００５７】
ＬＣＤ４１にＡＢ系数値入力画面Ｇ１３が表示されている状態で、インチ系タブ２３０を押圧操作すると、ＬＣＤ４１には、図１５に示すインチ系数値入力画面Ｇ１４が「サイズ入力」キー２３３からウィンドウ表示される。インチ系数値入力画面Ｇ１４は、Ｘ方向選択キー２４１、Ｙ方向選択キー２４２、アップダウンキー２４３、ＯＫキー２４４、Ｘ方向数値表示部２４５及びＹ方向数値表示部２４６を表示する。インチ系数値入力画面Ｇ１４において、Ｘ方向選択キー２４１又はＹ方向選択キー２４２を押圧操作して入力する方向を選択した後にアップダウンキー２４３を押圧操作するとＸ方向数値表示部２４５又はＹ方向数値表示部２４６に表示される数値が増減する。次いで、ＯＫキー２４４を押圧操作すると、Ｘ方向数値表示部２４５及びＹ方向数値表示部２４６にインチ単位で表示されている数値を用紙サイズとして入力できる。
【００５８】
上述の通り、用紙情報の設定入力は給紙部６に設けられた各給紙トレイに収容される用紙のそれぞれについて同様に行うことができる。このようにして設定された用紙情報は、管理部９に格納され、画像記録処理における用紙の選択時に、各給紙トレイに収容されている用紙を選択対象とすべきか否かの判断に用いられる。また、図２に示した基本画面Ｇ１中の「用紙」キー１１４を押圧すると、ＬＣＤ４１には図１６に示す用紙情報表示画面Ｇ１５が「用紙」キー１１４からウィンドウ表示される。
【００５９】
用紙情報表示画面Ｇ１５は、給紙トレイ選択キー２５１〜２５５及び選択用紙表示部２５６を表示する。給紙トレイ選択キー２５１〜２５５の各々は、給紙部６に設けられている各給紙トレイの各々に対応し、各給紙トレイが収容している用紙のタイプ及びサイズを表示する。給紙トレイ選択キー２５１〜２５５のうち、押圧操作されたキーが反転表示され、その給紙トレイが収容する用紙のタイプ及びサイズが選択用紙表示部２５６に表示される。選択用紙表示部２５６に表示されているタイプ及びサイズの用紙が、次の画像記録時に給紙部６から給紙される。
【００６０】
次に、利用者による複写倍率の設定入力を受け付ける場合のＬＣＤ４１の表示状態及び操作方法について、以下に説明する。図２の基本画面Ｇ１内に表示されている「倍率」キー１１５を押圧操作すると、図１７に示す倍率設定画面Ｇ１６が、「倍率」キー１１５からウィンドウ表示される。倍率設定画面Ｇ１６には、設定倍率表示部２６１、ズームキー２６２、固定倍率キー群２６３、「倍率メニュー」キー２６４及び「たてよこ独立変倍」キー２６５が表示される。
【００６１】
設定倍率表示部２６１は、現在設定されている複写倍率を表示する。ズームキー２６２は、１％単位での複写倍率の増減させる入力操作を受け付ける。固定倍率キー群２６３は、定形サイズの原稿と定形サイズの用紙との間でサイズを変換する際の固定倍率の選択操作を受け付ける。「倍率メニュー」キー２６４は、ＬＣＤ４１における表示内容を、代表的な複写倍率や予め登録された複写倍率を選択可能な状態で表示する一覧表示画面Ｇ１７（図１８参照）に切り換える操作を受け付ける。「たてよこ独立変倍」キー２６５は、ＬＣＤ４１における表示内容を、原稿の画像の縦方向の複写倍率と横方向の複写倍率とを独立して設定できるようにした縦横独立変倍画面Ｇ１８（図１９参照）に切り換える操作を受け付ける。
【００６２】
なお、倍率設定画面Ｇ１６（図１７参照）及び一覧表示画面Ｇ１７（図１８参照）に表示される「倍率自動選択」キー２６０は、自動検出又は手動入力された原稿サイズ情報と、選択された用紙サイズ情報と、から自複写倍率を自動的に算出する処理の指示入力を受け付ける。
【００６３】
図２０及び２１は、上記ディジタル複合機の制御部の処理手順を示すフローチャートである。ディジタル複合機１の制御部２は、操作部４のＬＣＤ４１に基本画面Ｇ１（図２参照）を表示した状態で、利用者による原稿のセットを待機している。制御部２は、スキャナ部３の原稿台上又は自動原稿送り装置の原稿セットトレイ上に原稿がセットされたことを検出すると（ｓ１）、スキャナ部３に配置された原稿サイズセンサ３ｂによる原稿サイズの自動検出を行い、原稿サイズセンサ３ｂから出力される検出信号の組み合わせに基づいて原稿サイズを自動的に判別する（ｓ２）。次いで、制御部２は、判別した原稿サイズと現在設定されている複写倍率とに適合するサイズの用紙（定形サイズの用紙）を収容している給紙トレイを給紙位置として選択する（ｓ３）。
【００６４】
ここで、基本画面Ｇ１内の「原稿」キー１１２が押圧操作されると（ｓ４）、制御部２は、ＬＣＤ４１に原稿サイズ設定画面Ｇ２（図３参照）を表示した後（ｓ５）、利用者の押圧操作に応じてＬＣＤ４１における表示画面を変更しつつ、利用者による原稿サイズの手動入力を待機し（ｓ６）、各画面内の「ＯＫ」キーが押圧操作されたときに入力されている原稿サイズを画像記録処理の対象となる原稿のサイズとして最終的に確定する（ｓ７，ｓ８）。
【００６５】
この後、制御部２は、確定した原稿サイズが定形サイズであるか否かの判別を行い（ｓ９）、原稿サイズが定形サイズである場合には、その原稿サイズ情報と現在設定されている複写倍率情報とから適切な定形サイズの用紙を選択し（ｓ１０）、選択したサイズの用紙を収容した給紙トレイが給紙部６に存在するか否かを判別する（ｓ１３）。選択した定形サイズの用紙を収容した給紙トレイが給紙部６に存在する場合には、制御部２は、その給紙トレイを画像記録時に用紙を給紙すべき給紙トレイとして選択する（ｓ１４）。選択した定形サイズの用紙を収容した給紙トレイが給紙部６に存在しない場合には、制御部２は、選択した定形サイズの用紙を給紙部６内の何れかの給紙トレイに収容すべき旨のメッセージをＬＣＤ４１に表示されている画面内のメッセージ表示領域に表示する（ｓ１４）。
【００６６】
一方、利用者が数値情報によって原稿サイズを入力した場合には、制御部２は、用紙サイズが数値情報によって設定された用紙を優先的に選択する（ｓ１１）。例えば、１００％の複写倍率が設定されており、数値情報によって入力された原稿サイズが２１０ｍｍ×２９７ｍｍである場合、２１０ｍｍ×２９７ｍｍは定形サイズのＡ４サイズと同一ではあるが、制御部２は、ｓ９からｓ１１に進み、予め数値情報によってサイズが設定された用紙の中から、適合する用紙サイズである２１０ｍｍ×２９７ｍｍのサイズの用紙が存在するか否かを確認する。
【００６７】
適合するサイズの用紙の存在が確認されれば（ｓ１２）、制御部２は、Ａ４サイズの用紙を収容した給紙トレイではなく、数値情報によってサイズが設定された２１０ｍｍ×２９７ｍｍの用紙を収容した給紙トレイを、画像記録時に用紙を給紙すべき給紙トレイとして選択する（ｓ１３）。２１０ｍｍ×２９７ｍｍのサイズの用紙が存在しない場合には、制御部２は、２１０ｍｍ×２９７ｍｍの用紙を給紙部６内の何れかの給紙トレイに収容すべき旨のメッセージをＬＣＤ４１に表示されている画面内のメッセージ表示領域に表示する（ｓ１４）。
【００６８】
以上の処理により、利用者が原稿サイズとして数値情報を手動入力した場合には、用紙サイズが登録されている用紙のうちで用紙サイズが数値情報によって設定された用紙の中から画像記録時に給紙すべき用紙が選択される。したがって、特定のフォーマットの原稿画像を専用の規格外の用紙に記録する場合等において、不定形サイズの原稿の画像を不定形サイズの用紙に確実に記録することができる。
【００６９】
また、用紙サイズが数値情報によって設定された用紙は、定形サイズと同一の大きさであっても、不定形サイズの用紙と同様に扱われる。したがって、一般的に多用される普通紙と紙質が異なるために、定形サイズであるにも拘らず用紙サイズが数値情報によって設定された用紙は、特定のフォーマット等の特殊な原稿の画像記録時に優先的に使用され、一般的な内容の原稿の画像記録時に使用されることを防止できる。
【００７０】
なお、上記ｓ１２の処理において、適切なサイズがない場合には、原稿サイズと複写倍率とから求めた用紙サイズを包含する用紙サイズのうちで、最も小さい用紙サイズの用紙を、画像記録時に給紙すべき用紙として選択するようにしてもよい。また、この場合には、適合するサイズと異なるサイズの用紙を選択した旨のメッセージをＬＣＤ４１に表示し、利用者の確認後に画像記録を行うようにすることもできる。
【００７１】
この場合に、図１１に示す給紙トレイ設定画面Ｇ１０において、各給紙トレイに収容されている用紙を使用可能なモードを選択的に設定しておくことにより、ファックスモード時のように定形サイズの普通紙のみに画像記録すべきモード時に、特殊な原稿画像を画像記録すべき不定形サイズの用紙が選択されることを防止できる。また、各給紙トレイに収容されている用紙に対して実行可能な処理を選択的に設定しておくことにより、専用の用途に使用すべき用紙にステープル処理やパンチ処理が誤って行われることを防止できる。
【００７２】
また、この発明の実施形態に係るディジタル複合機１では、ディジタル複合機１が有する機器を統轄して制御する制御部２を原稿サイズと複写倍率とに応じた用紙サイズを選択するこの発明の用紙サイズ選択手段として用いたが、給紙部６に制御部２から独立した給紙制御部が存在する場合には、この給紙制御部を用紙サイズ選択手段として用いることもできる。
【００７３】
【発明の効果】
この発明によれば、以下の効果を奏することができる。
【００７４】
（１）不定形サイズの原稿サイズ情報が入力された場合に、画像記録に使用される用紙として不定形サイズの用紙を優先的に選択することにより、不定形サイズの原稿の画像を記録すべき用紙として定形サイズの用紙が優先的に選択されたり、定形サイズの原稿の画像を記録すべき用紙として不定形サイズの用紙が優先的に選択されることを防止できる。これによって、原稿サイズに適合したサイズの用紙に原稿の画像を記録することができ、利用者が所望する形態の記録物を確実に得ることができる。また、利用者が所望する形態と異なる記録物が形成されることがなく、稼働効率の向上を図ることができるとともに、資源の浪費を防止できる。
【００７５】
（２）用紙サイズがＡ４サイズ、Ｂ５サイズ又はレターサイズ等のサイズ呼称情報ではなく、実測結果に基づく数値情報によって設定されると、その用紙サイズを不定形サイズとして登録することにより、数値情報によって用紙サイズが設定された専用の用途のために準備された用紙を不定形サイズの原稿の画像記録に使用すべき用紙としてのみ優先的に選択し、一般的な定形サイズの原稿の画像記録に使用されることを防止できる。
【００７６】
（３）数値情報によって入力された原稿サイズ情報を特定の操作部材と対応付けて登録し、特定の操作部材が操作されると対応する数値情報を原稿サイズ情報として読み出することにより、特定の不定形サイズの原稿についての画像記録処理を繰り返し行う際に、数値情報を繰り返し入力する必要をなくし、不定形サイズの入力作業を簡略化できる。
【００７７】
（４）用紙サイズ毎に実行可能な処理モードを予め設定しておくことにより、実行される処理モードに適合する用紙のみが選択対象とされ、実行される処理モードに適合しない用紙が選択されることを防止できる。
【図面の簡単な説明】
【図１】この発明の実施形態に係る画像記録装置であるディジタル複合機の構成を示す図である。
【図２】上記ディジタル複写機の操作部の構成を示す平面図である。
【図３】上記操作部のＬＣＤ４１に表示される原稿サイズ設定画面を示す図である。
【図４】上記操作部のＬＣＤ４１に表示されるＡＢ系定形サイズ入力画面を示す図である。
【図５】上記操作部のＬＣＤ４１に表示されるインチ系定形サイズ入力画面を示す図である。
【図６】上記操作部のＬＣＤ４１に表示される数値入力画面を示す図である。
【図７】上記操作部のＬＣＤ４１に表示される登録サイズ呼出画面を示す図である。
【図８】上記操作部のＬＣＤ４１に表示される登録サイズ登録／消去画面を示す図である。
【図９】上記操作部のＬＣＤ４１に表示される登録サイズ入力画面を示す図である。
【図１０】上記操作部のＬＣＤ４１に表示されるユーザ設定画面を示す図である。
【図１１】上記操作部のＬＣＤ４１に表示される給紙トレイ設定画面を示す図である。
【図１２】上記操作部のＬＣＤ４１に表示される用紙タイプ設定画面を示す図である。
【図１３】上記操作部のＬＣＤ４１に表示される用紙サイズ設定画面を示す図である。
【図１４】上記操作部のＬＣＤ４１に表示されるＡＢ系数値入力画面を示す図である。
【図１５】上記操作部のＬＣＤ４１に表示されるインチ系数値入力画面を示す図である。
【図１６】上記操作部のＬＣＤ４１に表示される用紙情報表示画面を示す図である。
【図１７】上記操作部のＬＣＤ４１に表示される倍率設定画面を示す図である。
【図１８】上記操作部のＬＣＤ４１に表示される一覧表示画面を示す図である。
【図１９】上記操作部のＬＣＤ４１に表示される縦横独立変倍画面を示す図である。
【図２０】上記ディジタル複合機の制御部の処理手順を示すフローチャートである。
【図２１】同フローチャートである。
【符号の説明】
１−ディジタル複合機（画像記録装置）
２−制御部
３−スキャナ部
４−操作部
５−画像記録部
６−給紙部
９−管理部
４１−ＬＣＤ
【図１】
2004326040.tif 000003
【図２】
2004326040.tif 000004
【図３】
2004326040.tif 000005
【図４】
2004326040.tif 000006
【図５】
2004326040.tif 000007
【図６】
2004326040.tif 000008
【図７】
2004326040.tif 000009
【図８】
2004326040.tif 000010
【図９】
2004326040.tif 000011
【図１０】
2004326040.tif 000012
【図１１】
2004326040.tif 000013
【図１２】
2004326040.tif 000014
【図１３】
2004326040.tif 000015
【図１４】
2004326040.tif 000016
【図１５】
2004326040.tif 000017
【図１６】
2004326040.tif 000018
【図１７】
2004326040.tif 000019
【図１８】
2004326040.tif 000020
【図１９】
2004326040.tif 000021
【図２０】
2004326040.tif 000022
【図２１】
2004326040.tif 000023